(57)【特許請求の範囲】
【請求項１】
波長多重光信号を伝送する複数の入力局間光伝送路および出力局間光伝送路と、複数の入力局内光伝送路および出力局間光伝送路を収容する光パスクロスコネクト装置において、
前記入力局間光伝送路毎に設けられ、前記入力局間光伝送路から入力された波長多重光信号を分波してｎ（ｎは整数でかつ１よりも大）波長単位に分割されたｍ（ｍは整数でかつ１よりも大）個の光パス群に振り分ける波長分離手段と、
前記複数の入力局内光伝送路を収容し、前記入力局内光伝送路から入力された光信号を入力する局内信号入力手段と、
前記波長分離手段で振り分けられた特定の前記光パス群の光信号および前記局内信号入力手段から出力された光信号を入力し、この光信号を前記特定の光パス群内のいずれかの波長および前記入力局内光伝送路から入力された光信号の波長の少なくとも一方へ変換し、ルーチング処理を行う、ルーチング処理する前記光パス群が互いに異なるｍ個のルーチング手段と、
前記出力局間光伝送路毎に設けられ、前記ｍ個のルーチング手段の出力を収容し、前記ｍ個のルーチング手段より出力された光信号を選択的に合波し、前記出力局間伝送路に出力する複数の波長合流手段と、
前記複数の出力局内光伝送路と、前記ｍ個のルーチング手段の出力を収容し、前記ｍ個のルーチング手段より出力された光信号を選択的に前記複数の出力局内光伝送路に中継する局内信号出力手段と、を備える光パスクロスコネクト装置。
【請求項２】
前記請求項１において、前記入力局内光伝送路および前記出力局内光伝送路を伝送される光信号が波長多重されており、前記局内信号入力手段と前記局内信号出力手段とは、波長多重光信号を中継する光パスクロスコネクト装置。
【請求項３】
波長多重光信号を伝送する複数の入力局間光伝送路および出力局間光伝送路と、光信号を伝送する複数の入力局内光伝送路および出力局内光伝送路を収容する光パスクロスコネクト装置において、
前記入力局間光伝送路毎に設けられ、前記入力局間光伝送路から入力された波長多重光
信号を波長多重したままｍ個（ｍは整数でかつ１よりも大）に分岐する複数の光分岐手段と、
前記入力局内光伝送路を収容し、前記入力局内光伝送路から入力された光信号を入力する局内信号入力手段と、
前記光分岐手段と前記局内信号入力手段とから出力された光信号を入力し、前記波長多重光信号のうちｎ（ｎは整数でかつ１よりも大）波長単位に分割されたｍ（ｍは整数でかつ１よりも大）個の光パス群の中の特定の光パス群の光信号、および、前記局内信号入力手段から出力された光信号を、前記光パス群内のいずれかの波長および前記入力局内光伝送路から入力された光信号の波長の少なくとも一方へ変換し、ルーチング処理を行う、ルーチング処理する波長域が互いに異なるｍ個のルーチング手段と、
前記出力局間光伝送路毎に設けられ、前記ｍ個のルーチング手段の出力を収容し、前記ｍ個のルーチング手段より出力された光信号を選択的に合波し、前記出力局間伝送路に出力する複数の波長合流手段と、
前記複数の出力局内光伝送路と、前記ｍ個のルーチング手段の出力を収容し、前記ｍ個のルーチング手段より出力された光信号を選択的に前記複数の出力局内光伝送路に中継する局内信号出力手段と、を備える光パスクロスコネクト装置。
【請求項４】
前記請求項３において、前記入力局内光伝送路および前記出力局内光伝送路を伝送される光信号が波長多重されており、前記局内信号入力手段と前記局内信号出力手段とは、波長多重光信号を中継する光パスクロスコネクト装置。
【請求項５】
前記請求項１において、前記局内信号入力手段が光空間スイッチからなり、前記ルーチング手段が光空間スイッチと波長変換器とからなり、前記局内信号出力手段が光空間スイッチからなる光パスクロスコネクト装置。
【請求項６】
前記請求項２において、前記局内信号入力手段が分波器と光空間スイッチとからなり、前記ルーチング手段が光空間スイッチと波長変換器とからなり、前記局内信号出力手段が光空間スイッチと波長変換器と合波器とからなる光パスクロスコネクト装置。
【請求項７】
前記請求項３において、前記局内信号入力手段が光空間スイッチからなり、前記ルーチング手段が分波器と光空間スイッチと波長変換器と合波器とからなり、前記局内信号出力手段が光空間スイッチからなる光パスクロスコネクト装置。
【請求項８】
請求項４において、前記局内信号入力手段が分波器と光空間スイッチとからなり、前記ルーチング手段が分波器と光空間スイッチと波長変換器と合波器とからなり、前記局内信号出力手段が光空間スイッチと波長変換器と合波器とからなる光パスクロスコネクト装置。
【請求項９】
請求項５乃至８のいずれかに記載の前記局内信号入力手段および前記局内信号出力手段において、前記光空間スイッチの入力または出力側に光電気変換器と電気光変換器とで構成された再生器を有する光パスクロスコネクト装置。
【請求項１０】
請求項１乃至４のいずれかに記載の光パスクロスコネクト装置を複数台用いて構築した
光ネットワーク。
【発明の詳細な説明】
【０００１】
【発明の属する技術分野】
本発明は、波長数の増加に対応した大規模な光ネットワークを構築するための光パスクロスコネクトシステムの構成に適用して有効な技術に関する。
【０００２】
【従来の技術】
情報の高速化・大容量化に伴い、ネットワークならびに伝送システムの広帯域化・大容量化が要求されている。その一実現手段として、ＷＤＭ技術をベースとした光ネットワークの構築が望まれている。そして光ネットワークを構築する上で核となる装置が光パスクロスコネクト（光ＸＣ）である。
【０００３】
図１は光ＸＣシステムと光ネットワークの構成例を示している。同図に示すように、光パスクロスコネクト装置は複数の入出力光伝送路を収容し、入力光伝送路から波長多重されて入ってきた光信号を、波長毎に所望の出力光伝送路にルーチングする装置である。
【０００４】
光パスクロスコネクト（ＸＣ）装置の局間リンク間には、長距離伝送の場合、光アンプが挿入され、局内リンクを介して他の通信装置（例えば電気クロスコネクト：電気ＸＣ）と接続される。そしてこれら装置はネットワークワーク全体を管理しているオペレーションシステムにより制御される。
【０００５】
一方、伝送容量の増加に伴い光ネットワークでは波長数が急激に増加してきている。しかし、波長数が増加すると光パスクロスコネクト（ＸＣ）装置に必要な規模も大きくなり実現が困難になってくる。
【０００６】
光パスクロスコネクト（ＸＣ）システムは、ノード内で波長を変換しない方式（波長固定型）と必要に応じて波長を変換する方式（波長変換型）がある。
図２（ａ）および（ｂ）に光スイッチを用いた各々の一般的な構成を示す。同図（ｂ）に示す波長固定型では、分波器、光スイッチ部、合波器とで構成されており、光スイッチを制御することで波長はそのままで所望の出力伝送路にルーチングするようになっている。
【０００７】
一方、同図（ａ）に示す波長変換型は、前記の波長固定型に比べて波長を変換するための波長変換器（但し出力波長は固定）が必要となり、所望の出力伝送路の所望の波長に変換するために光スイッチを制御するようになっている。
【０００８】
なお波長変換器の一例としては、光半導体素子を利用して光のまま変換する方式、光電気変換器と電気光変換器を用いて変換する方式等がある。また光スイッチの一例としては、ＬｉＮｂＯ３などの誘電体素子、ＩｎＰやＧａＡｓなどの光半導体素子、熱光学効果を利用した石英導波路型スイッチ、ステップモータやプリズムなどを利用したメカニカル光スイッチ等がある。さらに分波器や合波器としては、アレイ導波路型グレーティングや誘電体多層膜などを用いた素子が挙げられる。
【０００９】
図３は、図２に示した従来の光パスクロスコネクト（ＸＣ）装置を用いた場合の光ネットワークにおける光パス網の概念図である。
ここで、図３（ａ）に示すように、波長変換型の光パス網では、１つの光パスに対して送受信間でリンクバイリンクに波長が割り当てられる。つまり中継光パスクロスコネクト（ＸＣ）装置毎に必要に応じて波長が変換される。
【００１０】
一方、図３（ｂ）に示すように、波長固定型の光パス網では、１つの光パスに対して送受信間で単一の波長が割り当てられる。すなわち、中継光パスクロスコネクト（ＸＣ）装置の内部では波長は変換されないようになっている。
【００１１】
ここで、両方式を比較すると、各々以下の問題点がある。
波長固定型では入力光伝送路から入ってきた波長多重光信号で、同じ波長の光信号を同一の出力光伝送路に出力しようとするとブロッキングが生じてしまう。
【００１２】
一方、波長変換型は必要に応じて波長を変換できるため、同じ波長の光信号が同一の出力伝送路に出力される場合でもブロッキング無しにルーチングすることが可能であるが、光スイッチが波長固定型に比べて大規模なものが要求される。さらに波長変換型では波長数が増加した場合に、光スイッチの規模を大きくする必要があり（光スイッチを取り替える必要があり）、波長数に対する拡張性に優れてはいなかった（波長固定型では波長数の増加に応じて光スイッチの個数を増加すればよい）。
【００１３】
要するに波長固定型では伝送特性（ブロッキング特性）が悪く、波長変換型では波長数の増加に対する拡張性が無く装置が大きくなってしまうといった問題があった。
【００１４】
本発明はこのような点に鑑みてなされたものであり、伝送特性が良好で波長数の増加に対する拡張性が高い光パスクロスコネクト技術を実現することを技術的課題としている。
【００１５】
【課題を解決するための手段】
本発明の第１の手段は、局間光伝送路は多重波長を許容し、局内光伝送路は非多重波長を用いる光パスクロスコネクト装置において、前記局間光伝送路毎に波長分離手段を設けて局間光伝送路から入力された波長多重光信号を分波して第１の光パス群に振り分けるようにし、波長非多重光信号を前記第１の光パス群に中継する局内信号入力手段を設けた。そしてこの第１の光パス群を通じて光信号を入力し、この光信号を所定の波長に変換して第２の光パス群に出力するためにするために少なくともｎ（ｎは整数でかつ１よりも大）波長単位に分割されたｍ（ｍは整数でかつ１よりも大）個のルーチング手段を設けた。
【００１６】
さらに、前記ルーチング手段の後段には、第２の光パス群を介して光信号を選択的に合波する波長合流手段と、前記光信号を選択的に中継する局内信号出力手段とを設けた。
なお、前記第１の手段において、前記局内信号入力手段は光空間スイッチで構成することができ、ルーチング手段は光空間スイッチと波長変換器とで構成可能であり、さらに、前記局内信号出力手段は光空間スイッチで構成することができる（請求項５に対応）。
【００１７】
また、この光空間スイッチの入力または出力側に光電気変換器と電気光変換器とで構成された再生器を挿入してもよい（請求項９に対応）。
また、この第１の手段による光パスクロスコネクト装置を複数台用いて光ネットワークを構築することが可能である（請求項１０に対応）。
【００１８】
このように、増設単位とする波長変換型のルーチング手段により１つのサブネットワークを構成する。そして順次波長数の増加に応じて波長変換型のルーチング手段を追加（複数のサブネットワークを追加）し、大規模な光パスクロスコネクト（ＸＣ）装置および光ネットワークを構築していく。ここで、各ルーチング手段で処理する波長域は異なるようにしておく。
【００１９】
このように、本発明では、伝送特性を保持しつつ、波長数に対する拡張性を持たせて、かつ装置の大型化を防ぐ構成を提案する。
本発明の第２の手段は、前記第１の手段において、前記局内光伝送路を伝送される光信号が波長多重されており、前記局内信号入力手段と前記局内信号出力手段とは、波長多重光信号を中継するようにした。
【００２０】
なお、前記局内信号入力手段は分波器と光空間スイッチとで構成することができ、ルーチング手段は光空間スイッチと波長変換器とで構成でき、さらに、局内信号出力手段は光空間スイッチと波長変換器と合波器とで構成することができる（請求項６に対応）。
【００２１】
本発明の第３の手段は、局間光伝送路は多重波長を許容し、局内光伝送路は非多重波長を用いる光パスクロスコネクト装置において、前記局間光伝送路毎に光分岐手段を設け、光信号を波長多重のままｍ個（ｍは整数でかつ１よりも大）の第１の光パス群に分岐するようにし、局内信号入力手段を前記局内光伝送路毎に設け、該局内光伝送路から入力された波長非多重光信号を中継するようにした。
【００２２】
さらに、前記光分岐手段と前記局内信号入力手段とから出力された光信号の中からあらかじめ割り当てられた波長範囲の光信号を局内信号出力部および所望の波長に変換して第２の光パス群に振り分ける少なくともｎ波長単位（ｎは整数でかつ１よりも大）に分割されたｍ個ルーチング手段を設け、このルーチング手段の後段には、光信号を選択的に合波する波長合流手段と、光信号を選択的に中継する局内信号出力手段とを設けた。
なお、前記局内信号入力手段は光空間スイッチで構成でき、前記ルーチング手段は分波器と光空間スイッチと波長変換器と合波器とで構成でき、さらに、前記局内信号出力手段は光空間スイッチで構成することができる（請求項７に対応）。
【００２３】
本発明の第４の手段は、前記第３の手段において、前記局内光伝送路を伝送される光信号が波長多重されており、前記局内信号入力手段と前記局内信号出力手段とは、波長多重光信号を中継するようにした。
【００２４】
なお、前記局内信号入力手段は分波器と光空間スイッチとで構成でき、前記ルーチング手段は分波器と光空間スイッチと波長変換器と合波器とで構成でき、さらに、前記局内信号出力手段は光空間スイッチと波長変換器と合波器とで構成することができる（請求項８に対応）。
【００２５】
【発明の実施の形態】
以下、図面に基づいて、本発明の実施の形態を説明する。
【００２６】
【実施例１】
図４は、本発明の一実施例における光パスクロスコネクト装置の構成を示している。また、図８は本実施例１の具体的なルーチングを示している。
【００２７】
波長分離部は、入力局間光伝送路毎に設けられており、λ１１〜λｍｎまでの多重化された波長の光信号が入力されるようになっている。この波長分離部では、前記多重波長を分波して（λ１１〜λ１ｎ），（λ２１〜λ２ｎ）・・・・（λｍ１〜λｍｎ）の各光パス群に振り分けてルーチング部に入力するようになっている。
【００２８】
ｍ個で構成されたルーチング部はｎ波長単位に分割されてルーチング処理を行うようになっている。このルーチング部は、光空間スイッチと波長変換器とで構成されている。
【００２９】
局内信号入力部は、入力局内光伝送路よりλ０の非多重波長信号を中継して前記ｍ個のルーチング部に振り分ける機能を有している。
これをさらに詳しく説明したのが図８である。同図に示すように、本実施例では、入力側の波長数は３２であり、それらを８波長単位で４個のルーチング部に振り分けるようになっている。また局間光伝送路および局内光伝送路からの光信号チャネル数の比率を３：１としている。この結果、局間光信号チャネル数は３２×６＝１９２であり、局内光信号チャネル数は、３２×２＝６４となっている。
【００３０】
なお、この局内信号入力部も光空間スイッチで構成することができる。
図２２に光空間スイッチ（４×４）の構成例を示す。この構成からもわかる様に光空間スイッチのハードウエア規模は、入出力ポートの数の積にしたがって大きくなる。例えば４×４の場合では１６個の２×２光スイッチが必要となる。
【００３１】
図１２は、この屋内信号入力部とルーチング部と屋内信号出力部との構成を示したものである。局内信号入力部は６４×６４光スイッチからなり、ルーチング部は６４×６４光スイッチと波長変換器（出力局間光伝送路に送出される光信号の出力波長は各ルーチング部毎に割り当てられた波長であり、出力局内光伝送路に送出される光信号の出力波長は全て同一）からなり、局内信号出力部は６４×６４光スイッチからなる。
【００３２】
図１６は本発明実施例の光パスクロスコネクト（ＸＣ）装置を用いた場合の光ネットワークにおける光パス網の概念図である。同図に示すように、本実施例では、８波長単位の４つの波長変換型のサブネットワーク＃１（λ１〜λ８）〜＃４（λ２５〜λ３２）により光パス網が構築される。１つの光パスに対して送受信間で１つのサブネットワークが選択され、そのサブネットワーク内でリンクバイリンクに波長が割り当てられる。
【００３３】
図１７は図４に示した本発明光パスクロスコネクト（ＸＣ）装置を基に監視・制御系を具備した構成を示している。
同図に示すように、本実施例の監視・制御系は、入力局間光伝送路および入力局内光伝送路を監視する監視回路と、局内信号入力部を駆動する駆動回路と、ルーチング部を駆動する駆動回路と、局内信号出力部を駆動する駆動回路と、出力局間光伝送路および出力局内光伝送路を監視する監視回路とで構成されている。
【００３４】
そして、これらの監視回路および駆動回路は制御回路により制御されている。同図において、オペレーションシステムから入力されるパス設定信号（例えば入力光リンク番号、入力波長値、出力光リンク番号、出力波長値）を受信した制御回路は、該信号を基に局内信号入力部、ルーチング部、さらに局内信号出力部の光スイッチの制御ポイントを解析する。
【００３５】
そして制御回路は光スイッチの駆動回路に制御信号を送出し、駆動回路では該信号から駆動信号を生成し送出する。
また光パスクロスコネクト（ＸＣ）装置の入出力リンクにおいて監視回路により入力波長多重光信号および出力波長多重光信号の特性監視・パス接続監視等を行い、その結果を常時制御回路に通知する。そして制御回路が異常を判断するとその旨をオペレーションシステムの方に通知する。
【００３６】
図１８は本実施例１の光パスクロスコネクト（ＸＣ）装置の動作例を示している。また、図１９から図２１はこれに基づいた各部の動作例を示している。
まず、入力局内光伝送路＃６４から入力された光信号Ａ（λ０）は、図１９（ａ）に示すように、屋内信号入力部において、第１光パス（λ０）を通じてルーチング部（λ９〜λ１６）に入力され（図２０（ｂ）参照）、さらに波長変換器によってλ１６の波長の光信号に変換されて波長合流部を通じて出力局間伝送路より出力される。
【００３７】
また入力局間光伝送路＃６からの光信号Ｂ（λ２５）は、波長分離部より分離された第１光パス（λ２５〜λ３２）を通じてλ２５〜λ３２用のルーチング部に入力される（図２１（ｂ）参照）。当該ルーチング部の波長変換器で光信号Ｂはλ２５からλ０に変換されて第２光パス（λ０）を通じて局内信号出力部より出力局内光伝送路＃１に出力される。（図１９（ｂ）参照）
入力局間光伝送路＃１からの光信号Ｃ（λ８）は、波長分離部より第１光パス（λ１〜λ８）を通じてλ１〜λ８用のルーチング部に入力される（図２０（ａ）参照）。当該ルーチング部の波長変換器で光信号Ｃはλ８からλ１に変換されて第２光パス（λ１〜λ８）を通じて波長合流部より出力局間伝送路＃１に出力される。
【００３８】
入力局間光伝送路からの光信号Ｄ（λ１７）は、波長分離部より第１光パス（λ１７〜λ２４）を通じてλ１７〜λ２４用のルーチング部に入力される（図２１（ａ）参照）。当該ルーチング部の波長変換器で光信号Ｄはλ１７からλ２４に変換されて第２光パス（λ１７〜λ２４）を通じて波長合流部より出力局間伝送路に出力される。
【００３９】
【実施例２】
図５は本発明の実施例２の光パスクロスコネクト装置の構成を示す図である。また、図１３は本実施例２における局内信号入力部、ルーチング部および局内信号出力部の構成を示したものである。さらに、図９は実施例２におけるルーチングをさらに具体的に示したものである。
【００４０】
本実施例２は、図４に示した実施例１に比べて局内光伝送路に光信号が波長多重されている点が特徴であり、それ以外は実施例１と同様の構成を有している。同図に示すように、局内信号入力部は分波器と６４×６４の光スイッチで構成されており、ルーチング部は６４×６４の光スイッチと波長変換器とで構成されている。ここで、この波長変換器は、出力局間光伝送路側のみに具備され、その出力波長は各ルーチング部毎に割り当てられた波長となっている。また、局内信号出力部は６４×６４の光スイッチと、波長変換器と、合波器とで構成されている。なお、光スイッチの構成は具体的には前述の図２２で示したものと同様である。
【００４１】
ここで、前記波長分離部では、３２の波長成分が８波長単位で４個のルーチング部（λ１〜λ８）、（λ９〜λ１６）、（λ１７〜λ２４）、（λ２５〜λ３２）に対して振り分けられている。
【００４２】
また、この実施例において、波長分離部に入力される局間光信号は、３２×６＝１９２チャネルであり、局内信号入力部に入力される局内信号は、３２×２＝６４チャネルである。
【００４３】
局内信号入力部では、入力局内光伝送路から入力された波長多重光信号を各々所望のルーチング部に振り分ける。そして局内信号出力部では、各ルーチング部から入力された光信号を所望の波長のかつ所望の出力局内光伝送路に振り分けるようになっている。
【００４４】
【実施例３】
図６は本実施例３の光パスクロスコネクト装置の構成を示す図である。
同図に示すように、本実施例３では、入力局間光伝送路毎に具備された光分岐部と、ｎ（ｎ＞１）波長単位に分割されたｍ（ｍ＞１）個のルーチング部と、出力局間光伝送路毎に具備された光合流部と、入力局内光伝送路（波長多重無し）に対して具備された局内信号入力部と、出力局内光伝送路（波長多重無し）に対して具備された局内信号出力部とで構成されている。
【００４５】
光分岐部では、入力局間光伝送路から入力された波長多重光信号を波長多重したままｍ個のルーチング部に分配する機能を有している。
ルーチング部では、分岐部を通じて入力された波長多重光信号の中からあらかじめ割り当てられた波長範囲の光信号や、局内信号入力部から入力された光信号を所望の波長に変換して所望の光合流部にルーチングしたり、局内信号出力部にルーチングする機能を有している。
【００４６】
光合流部では前記各ルーチング部から入力された異なる波長の波長多重光信号を合流する機能を有している。
さらに、局内信号入力部では、入力局内光伝送路から入力された光信号を所望のルーチング部に振り分ける機能を有している。そして、局内信号出力部では、各ルーチング部から入力された光信号を所望の出力局内光伝送路に振り分ける機能を有している。
【００４７】
図１４は本実施例３における各部の構成例である。同図に示すように、局内信号入力部は６４×６４光スイッチからなり、ルーチング部は６４×６４光スイッチと波長変換器（出力局間光伝送路に送出される光信号の出力波長は各ルーチング部毎に割り当てられた波長であり、出力局内光伝送路に送出される光信号の出力波長は全て同一）と分波器（光分岐部とつながる入力ポートに具備され、各ルーチング部に割り当てられた波長範囲の光信号を分波）と合波器（光合流部とつながる出力ポートに具備）からなり、局内信号出力部は６４×６４光スイッチからなる。
【００４８】
図１０は、この光パスクロスコネクト装置にさらに詳細なルーチングを示した図である。
同図に示すように、本実施例の具体的なクロスコネクト装置では、入力側の波長数は３２であり、それらを８波長単位で４個のルーチング部に振り分けるようになっている。また局間光伝送路および局内光伝送路からの光信号チャネル数の比率を３：１としている。この結果、局間光信号チャネル数は３２×６＝１９２であり、局内光信号チャネル数は、３２×２＝６４となっている。
【００４９】
【実施例４】
図７は、本実施例４の光パスクロスコネクト装置の構成を示す図である。
本実施例４の光パスクロスコネクト装置は、図６に示した実施例３の装置構成に比べて、局内光伝送路に光信号が波長多重されている点であり、それ以外は前記実施例３と同様である。
【００５０】
すなわち、入力局間光伝送路毎に具備された光分岐部と、ｎ（ｎ＞１）波長単位に分割されたｍ（ｍ＞１）個のルーチング部と、出力局間光伝送路毎に具備された光合流部と、入力局内光伝送路（波長多重あり）に対して具備された局内信号入力部と、出力局内光伝送路（波長多重あり）に対して具備された局内信号出力部とで構成されている。
【００５１】
光分岐部では、入力局間光伝送路から入力された波長多重光信号を波長多重したままｍ個のルーチング部に分配する機能を有している。
ルーチング部では、分岐部を通じて入力された波長多重光信号の中からあらかじめ割り当てられた波長範囲の光信号や、局内信号入力部から入力された光信号を所望の波長に変換して所望の光合流部にルーチングしたり、局内信号出力部にルーチングする機能を有している。
【００５２】
光合流部では前記各ルーチング部から入力された異なる波長の波長多重光信号を合流する機能を有している。
さらに、局内信号入力部では、入力局内光伝送路から入力された波長多重光信号を各々所望のルーチング部に振り分ける機能を有している。そして、局内信号出力部では、各ルーチング部から入力された光信号を所望の波長のかつ所望の出力局内光伝送路に振り分ける機能を有している。
【００５３】
図１５は、実施例４における各部の構成例である。
すなわち、局内信号入力部は分波器と６４×６４光スイッチとで構成されている。ルーチング部は６４×６４光スイッチと波長変換器（出力局間光伝送路側のみに具備され、その出力波長は各ルーチング部毎に割り当てられた波長）と分波器（光分岐部とつながる入力ポートに具備され、各ルーチング部に割り当てられた波長範囲の光信号を分波）と合波器（光合流部とつながる出力ポートに具備）とで構成されている。
【００５４】
さらに、局内信号出力部は６４×６４光スイッチと波長変換器と合波器とで構成されている。
また上述の局内信号入力部や局内信号出力部において、光信号の伝送特性の劣化を防ぐために光スイッチの入力または出力に光信号の再生器（光電気変換器と電気光変換器で構成）を具備してもよい。
【００５５】
図１１は、本実施例４の光パスクロスコネクト装置の具体的なルーチングを示している。
すなわち、本実施例４では、入力側の波長数は３２であり、それらを８波長単位で４個のルーチング部に振り分けるようになっている。また局間光伝送路および局内光伝送路からの光信号チャネル数の比率を３：１としている。この結果、局間光信号チャネル数は３２×６＝１９２であり、局内光信号チャネル数は、３２×２＝６４となっている。
【００５６】
なお本明細書において、ルーチング部、局内信号入力部、局内信号出力部、光スイッチは本文中記載の構成例に限定されるものでは無い。
【００５７】
【発明の効果】
以上説明した様に本発明では、増設単位とする波長変換型のルーチング部により１つのサブネットワークを構成し、そして順次波長数の増加に応じて波長変換型のルーチング部を追加（複数のサブネットワークを追加）し、大規模な光パスクロスコネクト（ＸＣ）装置および光ネットワークを構築していくことで、伝送特性を保持しつつ、波長数に対する拡張性を持たせて、かつ装置の大型化を防ぐことが可能となるので本構成を用いた光伝送システムの性能向上に寄与するところが大きい。
【００５８】
【図面の簡単な説明】
【図１】一般的な光パスクロスコネクト装置システムと光ネットワーク図
【図２】従来の一般的な光パスクロスコネクト装置ノード構成図
【図３】従来の光パスクロスコネクト装置を用いた場合の光パス網図
【図４】実施例１の光パスクロスコネクト装置の原理構成図
【図５】実施例２の光パスクロスコネクト装置の原理構成図
【図６】実施例３の光パスクロスコネクト装置の原理構成図
【図７】実施例４の光パスクロスコネクト装置の原理構成図
【図８】実施例１のルーチングを説明するための具体的構成図
【図９】実施例２のルーチングを説明するための具体的構成図
【図１０】実施例３のルーチングを説明するための具体的構成図
【図１１】実施例４のルーチングを説明するための具体的構成図
【図１２】実施例１の各部の構成図
【図１３】実施例２の各部の構成図
【図１４】実施例３の各部の構成図
【図１５】実施例４の各部の構成図
【図１６】実施例１の光パス網を示す説明図
【図１７】実施例１の監視・制御系を示す説明図
【図１８】実施例１の光パスクロスコネクト装置のルーチング動作の説明図
【図１９】実施例１の光スイッチのスイッチング動作を示す説明図（１）
【図２０】実施例１の光スイッチのスイッチング動作を示す説明図（２）
【図２１】実施例１の光スイッチのスイッチング動作を示す説明図（３）
【図２２】実施例における光空間スイッチの構成図
【図１】
0003574754.tif 000002
【図２】
0003574754.tif 000003
【図３】
0003574754.tif 000004
【図４】
0003574754.tif 000005
【図５】
0003574754.tif 000006
【図６】
0003574754.tif 000007
【図７】
0003574754.tif 000008
【図８】
0003574754.tif 000009
【図９】
0003574754.tif 000010
【図１０】
0003574754.tif 000011
【図１１】
0003574754.tif 000012
【図１２】
0003574754.tif 000013
【図１３】
0003574754.tif 000014
【図１４】
0003574754.tif 000015
【図１５】
0003574754.tif 000016
【図１６】
0003574754.tif 000017
【図１７】
0003574754.tif 000018
【図１８】
0003574754.tif 000019
【図１９】
0003574754.tif 000020
【図２０】
0003574754.tif 000021
【図２１】
0003574754.tif 000022
【図２２】
0003574754.tif 000023